(57)【要約】【課題】原稿台のサイズよりも大きなサイズの原稿を原稿台上に載置する操作を容易とする、操作性を向上させた技術を提供する。【解決手段】  原稿台ガラス２に対して原稿カバー６を複数の開放位置に位置させる。すなわち、原稿台ガラス２とヒンジ７との回動中心を、２つの回動部Ａ１，Ａ２、及び回動部Ａ１，Ａ２間を連通するくびれ部１ｂにより構成し、原稿台ガラス２より小さなサイズの原稿をセットする場合には、ヒンジ７の凸部７ａが回動部Ａ２を回動し、原稿台ガラス２より大きなサイズの原稿をセットする場合には、くびれ部１ｂを通して凸部７ａを回動部Ａ１側に移動させ、凸部７ａが回動部Ａ１を回動するように構成する。【選択図】  図２０
2006184691.tif 000002
【特許請求の範囲】
【請求項１】
原稿が載置される原稿台と、
画像読取装置本体に開放可能に設けられ、前記原稿台に載置された原稿を押さえるカバー部材と、
を備え、前記原稿台に載置され前記カバー部材により押さえられた原稿の画像情報を読み取る画像読取装置において、
前記原稿台に対して前記カバー部材を複数の開放位置に位置させる開放位置調整機構を備えることを特徴とする画像読取装置。
【請求項２】
前記開放位置調整機構は、
画像読取装置本体と前記カバー部材との間に、少なくとも２つの回動中心と、
該回動中心を切り替える切替機構と、
を備えることを特徴とする請求項１に記載の画像読取装置。
【請求項３】
前記開放位置調整機構は、
前記原稿台に対する前記カバー部材の開放角度が略９０度から略１２０度となる開放位置で、規制部により回動動作が規制される回動中心と、
前記原稿台に対する前記カバー部材の開放角度が略１８０度以上となる回動中心と、
に前記カバー部材の回動位置を切り替えることを特徴とする請求項２に記載の画像読取装置。
【請求項４】
前記回動中心は、
画像読取装置本体と前記カバー部材とのうちいずれか一方に設けられた回動軸と、
画像読取装置本体と前記カバー部材とのうちいずれか他方に少なくとも２対設けられ、前記回動軸を支える前記複数の開放位置にそれぞれ対応した軸受け部と、
により構成され、
前記切替機構は、前記軸受け部間に設けられ前記回動軸を移動可能にする連通路を備えることを特徴とする請求項２または３に記載の画像読取装置。
【請求項５】
前記回動軸は、前記軸受け部内を回動するための回動部と、前記軸受け部間を移動するための移動部とを備えることを特徴とする請求項４に記載の画像読取装置。
【請求項６】
前記回動軸の前記移動部は、断面略円形状の回動軸の径方向両端部を略平行に切り取った形状であり、略平行に切り取られた面の幅は、前記連通路の幅よりも小さいことを特徴とする請求項５に記載の画像読取装置。
【請求項７】
前記カバー部材が画像読取装置本体に対して前記回動中心のうち少なくとも１つの回動中心に対して回動する場合に、所定の開放位置で該カバー部材の回動動作を規制する規制部を備えることを特徴とする請求項２〜６のいずれかに記載の画像読取装置。
【発明の詳細な説明】
【技術分野】
【０００１】
本発明は、原稿台上に載置された原稿の画像情報を読み取る画像読取装置に関するものである。
【背景技術】
【０００２】
従来、この種の画像読取装置においては、原稿台に載置された原稿を押さえるためのカバー部材が、装置本体に対して開放可能に設けられている。
【０００３】
なお、関連する従来例が開示された文献としては、特許文献１がある。
【特許文献１】実公平１−３４１８３号公報
【発明の開示】
【発明が解決しようとする課題】
【０００４】
ところで、従来のカバー部材は、装置本体に対する開放位置が１箇所しかないため、原稿台よりも大きなサイズの原稿をセットしようとした場合、開放位置にあるカバー部材が邪魔となり、原稿を原稿台上にセットすることが困難であった。
【０００５】
本発明は上記したような事情に鑑みてなされたものであり、原稿台のサイズよりも大きなサイズの原稿を原稿台上に載置する操作を容易とする、操作性を向上させた技術を提供することを目的とする。
【課題を解決するための手段】
【０００６】
上記目的を達成するために本発明にあっては、
原稿が載置される原稿台と、
画像読取装置本体に開放可能に設けられ、前記原稿台に載置された原稿を押さえるカバー部材と、
を備え、前記原稿台に載置され前記カバー部材により押さえられた原稿の画像情報を読み取る画像読取装置において、
前記原稿台に対して前記カバー部材を複数の開放位置に位置させる開放位置調整機構を備えることを特徴とする。
【発明の効果】
【０００７】
本発明によれば、原稿台のサイズよりも大きなサイズの原稿を原稿台上に載置する操作を容易とする、操作性を向上させた技術を提供することが可能となる。
【発明を実施するための最良の形態】
【０００８】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【０００９】
（全体構成）
図１は本発明の実施の形態に係る画像読取装置の構成を説明するための模式図である。
【００１０】
図１に示すように、画像読取装置（画像読取装置本体）Ｓは、画像読取装置Ｓの本体部分（以下、装置本体という）１の上面に取り付けられた原稿台ガラス（原稿台）２上にセット（載置）された原稿を、画像読取手段としてのコンタクトイメージセンサ３を原稿台
ガラス２に平行に走査させることにより、原稿に記載された画像を読み取るものである。
【００１１】
図２は、本実施の形態のコンタクトイメージセンサ３の概略断面図である。図３は、図１のＡ−Ａ断面を示す図である。図４はコンタクトイメージセンサ３が設けられたキャリッジユニットの概略斜視図である。
【００１２】
コンタクトイメージセンサ３は、図２に示すように、その内部には原稿照射用の光源である三色のＬＥＤ３Ｒ，３Ｇ，３Ｂ、原稿からの反射光をコンタクトイメージセンサ３の受光素子上に結像するロッドレンズアレイ３Ｌ、およびイメージセンサ３Ｓが組込まれている。三色の光源を順次切り替えて点灯し、イメージセンサ３Ｓが各色ごとの原稿からの反射光を読み取ることにより、色分解読み取りをする。
【００１３】
前記コンタクトイメージセンサ３は、センサーホルダー１０３に軸支され、図３に示すように、センサーホルダー１０３上に位置決めされたバネ１０４により、摺動性の良い材質からなるスペーサ１０１，１０２を介して、原稿台ガラス２に圧接されている。
【００１４】
センサーホルダー１０３は、図１に示すように、装置本体１に固定されたガイドシャフト４上を摺動するスライダ５上に固定支持される。ここで、図４に示す、コンタクトイメージセンサ３、センサーホルダー１０３、バネ１０４、スライダ５など、スライダ５と一体化されたユニットを、以下、キャリッジ５０１ということとする。
【００１５】
また、スライダ５には、走査駆動源であるモータからの動力を伝達するベルト１５が固定される。モータの正逆回転により、キャリッジ５０１は原稿台ガラス２の範囲の往復走査が可能になっている。
【００１６】
また、センサー３の電気的入出力のためのフレキケーブル１０５は、片側をセンサー３に接続され、画像読取装置本体のコントロールボード（図示せず）に、反対側を接続されている。
【００１７】
図３に示すように、装置本体１は、スライダー５の走査する位置の、図中右側は、センサーとクリアランス分だけ離した位置まで、薄く構成されていて、その位置に、３０ａを回動中心にして、スタンド（３１〜３３）が配置されている。
【００１８】
すなわち、スタンドが配置された側の、装置本体の内部部品の厚み方向は、センサーと、それに密着する部品の合計が最大厚みであり、他に必要な部品は、その高さに収まるもののみ、並列に配置した。この部分の装置本体１の厚みは、
（原稿台ガラス＋密着型センサー＋センサーに密着する部品＋隙間＋枠体）
のみである。
【００１９】
スタンドの詳細については、後述する。
【００２０】
また、スライダ５には、走査駆動源であるモータからの動力を伝達するベルト１５が固定される。モータの正逆回転により、コンタクトイメージセンサ３は原稿台ガラス２の範囲の往復走査が可能になっている。
【００２１】
画像読取装置の構成要素には、上記のほかにコントロールボードや電源からなる電装部がある。これらの構成要素は、原稿台ガラスを固定支持する装置本体１の中に配置されている。
【００２２】
また、原稿台ガラス２上には、原稿を原稿台ガラス２上に押圧するための押圧部材とし
ての原稿カバー６が、ヒンジ部材としてのヒンジ７を介して装置本体１に開閉可能に取り付けられている。また、原稿カバー６内面の原稿台ガラス２と対向する面には、シート部材８ａと弾性部材８ｂとからなる圧着部材としての原稿圧着シート８が貼り付けられている。ここで、原稿カバー６とヒンジ７とはカバー部材を構成している。
【００２３】
図５は画像読取装置による読取画像データ処理ブロック図である。
【００２４】
順次点滅するＬＥＤと同期してイメージセンサ３が読み取った画像出力信号は、アンプ９に送られて増幅された後、Ａ／Ｄコンバータ１０によりデジタル画像信号に変換される。
【００２５】
Ａ／Ｄコンバータ１０は、そのビット数分にイメージセンサ３Ｓのダイナミックレンジ（原稿上の真白部と真黒部の読取出力差）を分割して、原稿上の画像の明るさに応じて階調数を割り当てる。例えば、分解能８ｂｉｔのＡ／Ｄコンバータを使用している場合は白から黒に至る間を２５６の階調レベルに、１０ｂｉｔのＡ／Ｄコンバータの場合は１０２４の階調レベルに識別することができる。したがって、８ｂｉｔのＡ／Ｄコンバータを用いた画像読取装置ではＲＧＢ三色の光源によるカラー読取では２４ｂｉｔ＝約１６７０万色、１０ｂｉｔの場合は３０ｂｉｔ＝約１０億７４００万色を識別できる。
【００２６】
画像読取装置の画像信号の出力形態は数種類あり、読み取った画像の用途によってそれに適した出力形態を選択することができる。文章を読み取ってその内容をＯＣＲ（ｏｐｔｉｃａｌ  ｃｈａｒａｃｔｅｒ  ｒｅａｄｅｒ、光学式文字読み取り装置）にかける場合やモノクロの線画を読み取る場合には、モノクロ二値の画像が適しており、上述のＲＧＢの光源のうちたとえばＧだけを点灯して得た画像信号を、ゲートアレイ１１に組み込まれた画像処理回路にて、あるしきい値にて二値化した画像データが使われる。
【００２７】
写真などの画像を読み取ってモノクロプリンタに出力する目的で画像を読み取る場合には、同じくＧ光源による画像信号を使用してディザ法や誤差拡散法といった中間調処理を用いて二値化した画像データが用いられる。カラー画像の処理を行なう場合には、多値（２４ｂｉｔ  ｅｔｃ．）画像データが適している。
【００２８】
上記画像処理回路を経た画像信号は、インタフェース回路１２を介してパソコン１３などの機器に出力される。
【００２９】
（原稿カバー・ヒンジ構成）
次に、装置本体１に対する原稿カバー６の開閉構成について説明する。
【００３０】
図６〜８は装置本体１と原稿カバー６とを開閉可能に連結するヒンジ構成を説明するための図である。すなわち、図６は本実施の形態の装置本体１（画像読取装置から原稿カバー６を除いた状態）を示す図、図７は原稿カバー６を示す図、図８はヒンジ７を示す図である。また、図９は原稿カバー６を閉じた状態を説明するための図、図１０は原稿カバー６を略１００°開いた状態を説明するための図、図１１は原稿カバー６を略１８０°開いた状態を説明するための図、図１２，１３はヒンジ７だけを略６０°開いた状態（原稿カバー６は原稿台ガラス２に対して略平行に移動した状態）を説明するための図である。
【００３１】
図６〜１３に示すように、画像読取装置には、原稿Ｐを原稿台ガラス２上に押圧するための原稿カバー６、及び、装置本体１と原稿カバー６とを接続するヒンジ７が設けられることにより、装置本体１に対して原稿カバー６が開閉可能となっている。
【００３２】
ここで、装置本体１とヒンジ７との間においては、装置本体１の後端部に設けられた凹
部１ａと、ヒンジ７の後端部に設けられた凸部７ａとの嵌合部が支点（回動中心、回動軸）となって、装置本体１に対してヒンジ７が開閉（回動）可能となる。なお、凹部１ａは、本発明に係る開放位置調整機構の軸受け部を構成し、凸部７ａは本発明に係る開放位置調整機構の回動軸を構成している。
【００３３】
また、ヒンジ７と原稿カバー６との間においては、ヒンジ７の前端部に設けられた凹部（以下、軸支部という）７ｂと、原稿カバー６の後端部に設けられた凸部（以下、軸支部という）６ａとの嵌合部が支点（回動中心、回動軸）となって、ヒンジ７と原稿カバー６とは相対的に回動可能となる。
【００３４】
このように、装置本体１とヒンジ７と原稿カバー６との間においては、２つ（２点）の嵌合部を支点として、それぞれ回動可能に軸支されることとなり、これによって装置本体１に対して原稿カバー６が開閉可能となる。
【００３５】
なお、本実施の形態では、装置本体１においてヒンジ７との回動中心を構成する側を後側（後、後端側、図９に示す矢印Ｒ側）とし、装置本体１において当該回転中心に略直交する方向であって当該回転軸から離間する側を前側（前、前端側、図９に示す矢印Ｆ側）としている。ヒンジ７及び原稿カバー６においては、装置本体１に対して閉じた状態で前後を定義している。
【００３６】
図１４は、装置本体１においてヒンジ７との嵌合部を示す図である。
【００３７】
ここで、装置本体１の凹部１ａは、図１４に詳細に示すように略ひょうたん型をしており、横置き状態（画像読取装置の通常使用状態、平置き状態、原稿台ガラス２が略水平に置かれた状態）における上下方向（原稿台ガラス２に対して略直交する方向）に二つの回動部（回動中心、軸受け部）Ａ１，Ａ２を有する。
【００３８】
また、ヒンジ７の後端部の凸部７ａは、図８に示すように、その凸部の先端部分において径方向（凸部７ａを回動軸とした場合に該回動軸に直交する方向）の両端部が略平面状にカットされており、この２つの平面により構成される平面部の距離ａは前記略ひょうたん型のくびれ部１ｂの幅ｂよりも若干小さく（ａ＜ｂ）設定されている。ここで、凸部７ａのうち、両端をカットされ距離ａを有する平面部は本発明に係る移動部を構成し、カットされていない外周部は回動部Ａ１，Ａ２内を回動する本発明に係る回動部を構成している。また、略ひょうたん型のくびれ部１ｂは、二つの回動部Ａ１，Ａ２を連通するものであって本発明に係る切替機構の連通路を構成している。
【００３９】
これにより、装置本体１に対してヒンジ７がある特定の角度だけ開いたときのみ前記ひょうたん型のくびれ部１ｂを前記凸部７ａの平面部が通過し、回動部Ａ１，Ａ２間をヒンジ７の開き角度の条件内で任意に移動することができるものである。装置本体１に対するヒンジ７の開き角が前記特定の角度以外のときは、凸部７ａは回動部Ａ１，Ａ２のうちいずれかの位置に回動可能に保持される。
【００４０】
以下に、原稿カバー６の３つの開き方の説明を行う。
【００４１】
図１５〜２３は本発明の実施の形態に係る画像読取装置において原稿カバーを開いた状態を説明するための図であり、特に図２１〜２３においては、回動部分（嵌合部）の規制状態を説明するためのものである。
【００４２】
（原稿カバー開放）
図９に示すような装置本体１に対して、原稿カバー６を閉じた状態から操作者（ユーザ
）により原稿カバー６が開けられる場合、まず、原稿カバー６だけが軸支部６ａ，７ｂを回動中心として（図１５，図１７参照）開き始める。
【００４３】
その後、図７，８に示す原稿カバー６，ヒンジ７に設けられた回動角度規制突起部１８，２０によって、原稿カバー６は図２１に示すようにヒンジ７に対して略４０°開いた位置でその回動動作を停止される。
【００４４】
操作者が原稿カバー６をさらに開こうとすると、原稿カバー６はヒンジ７に対してはそれ以上の角度には開かない（回動動作が規制されている）ため、前記略４０°の角度を維持したままヒンジ７の凸部７ａが装置本体１の凹部１ａの下ポジションの回動部Ａ２を回動中心（軸）として開き始める（図１４，図１７参照）。
【００４５】
さらに原稿カバー６を開くと、略１００°開いたところで図２２に示すようにヒンジ７の後端の突起１９が装置本体１の突起１７に係止され、この位置で原稿カバー６を装置本体１に対して開放の姿勢（状態）で維持することができるので、操作者は原稿カバー６から手を放して原稿Ｐをセットすることができる。（図１０参照）。ここで、ヒンジ７の突起１９及び装置本体１の突起１７は、本発明に係る規制部を構成している。
【００４６】
その後、原稿Ｐをセットして原稿カバー６を閉じると、この時働く回転モーメントと重力のバランスにより、該原稿カバー６とヒンジ７は、ヒンジ７が装置本体１上に完全に閉じられるまでは回動部Ａ２を回動中心として（図１４，図１７参照）両者は一体的に（一体となって）回動し、その後、今度は軸支部６ａ，７ｂを中心として原稿カバー６だけが回動する。このような開閉動作により原稿カバー６の原稿台ガラス２側に配された原稿圧着シート８が原稿に密着し、原稿Ｐは原稿台ガラス２上に的確に固定される。
【００４７】
上記動作の間、ヒンジ７の自重が働くためその凸部７ａは装置本体１の凹部１ａの下方、すなわち回動部Ａ２の位置で回動するのみである。
【００４８】
（厚手原稿への対応）
次に、図１０に示す原稿カバー６の装置本体１に対する開放角度が略１００°の位置で開放の姿勢が維持された状態から、本などの厚手の原稿Ｄをセットして原稿カバー６を閉じる場合について説明する。
【００４９】
このような場合、原稿カバー６が厚手原稿Ｄに接するまでは、原稿カバー６，ヒンジ７は互いに開放した時の角度関係を維持した状態のまま閉じ動作が行われるが、原稿カバー６が厚手原稿Ｄに接した後は図１３に示すように原稿カバー６とヒンジ７は原稿Ｄの高さに応じてバランスを保った位置で姿勢が決まる。この時、ヒンジ７は原稿Ｄの厚みによってその開き角度が略０°から略６０°の範囲で自由に回動し、最大約２５ｍｍの厚手原稿を押さえ付けることができるように設定されている。
【００５０】
（１８０°開き）
上述したように、原稿カバー６を開いていった際、ヒンジ７となす角度が略４０°を超えると、ヒンジ７も原稿カバー６につれて回転を始めるが、略６０°開いた位置（図１６，図１８参照）で図１６に示すように原稿カバー６の回動先端部Ｚ（原稿カバー６の前端部）を矢印Ｙ方向（本実施の形態では原稿台ガラス２に対して略直交する方向）に引き上げると、これにつれてヒンジ７の後端の凸部７ａは装置本体１の後端部に設けられた略ひょうたん型の凹部１ａのくびれ部１ｂを通過し、回動部Ａ２を嵌合部とする下ポジション（図１８に示す状態）から回動部Ａ１を嵌合部とする上ポジションに移動する（図１９に示す状態）。
【００５１】
その後、原稿カバー６を引き上げたままさらに回動すると、凸部７ａは略ひょうたん型の凹部１ａの上ポジションの回動部Ａ１を回動中心として回動する。この時、突起１９は軸７ａと一体的に上方に動くので回動しても装置本体１の突起部１７に係止されず（図２３参照）に図１１，図２０に示すように、略１８０°の位置までそのまま回動することができる。なお、原稿カバー６が原稿台ガラス２に対して略略１８０°の位置で停止するような規制手段を設けてもよいが、このような規制手段を設けることなく設置面に当接することにより開放位置が設定されるものであってもよい。
【００５２】
この開き方は地図や雑誌等の原稿台よりも大きな原稿のスキャンに適しており、原稿にダメージを与えることが無く大きな原稿の任意の場所をスキャンすることが可能になっている。
【００５３】
また、この状態から原稿カバー６を閉める際には、原稿カバー６の装置本体１に対する開放角度が略６０°に閉じられるまで回転部Ａ１を回動中心として回動する。
【００５４】
そして、ヒンジ７後端の凸部７ａが装置本体１の後端部に設けられた略ひょうたん型の凹部１ａのくびれ部１ｂを通過することにより、上ポジションＡ１から下ポジションＡ２に移動する。この時、原稿カバー６及びヒンジ７の自重で自動的にヒンジ７後端の凸部７ａが略ひょうたん型の凹部１ａのくびれ部１ｂを通過するように構成するとよい。
【００５５】
その後、原稿カバー６を閉じると、ヒンジ７後端の凸部７ａは下ポジションにおいて回動部Ａ２を回動中心として回動することにより、原稿カバー６は図９に示すように装置本体１に対して完全に閉じた状態となる。
【００５６】
上記に説明したような３つの開き方のいずれかを選択することによって原稿の厚さ、大きさ、種類等によらず、あらゆる原稿のスキャンが可能になり、操作性が飛躍的に向上することになる。
【００５７】
また、原稿カバー６の回動先端部Ｚには、図１に示すように、磁石２１が取り付けられており、前記磁石２１と対向する装置本体１上には、磁石２１が吸い付くための金属部材２２が配置されている。
【００５８】
なお、原稿圧着シート８に一体的に配された弾性部材８ｂは、原稿カバー６を閉じて磁石２１が原稿台ガラス２に密着した状態で多少つぶれるような厚さを持っているため、原稿を原稿台ガラス２上に載置し、原稿カバー６を閉じると磁石２３の効果で原稿圧着シートが原稿台ガラス２に密着する。このとき原稿圧着シート８の弾性部材８ｂが撓むため、その反力が原稿圧着シート８を介して原稿にかかり、原稿にシワやカールがあっても伸ばされ、原稿は原稿台ガラス２に密着する。
【００５９】
この磁石２１は特に原稿カバー６の重さが原稿に働かず、浮き気味になる縦置きの時にその効果を発揮する。なお、縦置きについての説明は、後述するスタンド構成のなかで詳細に述べる。
【００６０】
（スタンド構成）
次に、画像読取装置を立てた縦置き状態に保持するスタンドの構成について説明する。
【００６１】
図２４はスタンドが装置本体１の裏面に収納された状態を説明するための図であり、図２５〜２８はスタンドを縦置き状態（縦置き位置）に設置する方法を説明するための図であり、図２９はスタンドを縦置き状態に設置後、原稿カバーを開いた状態を説明するための図である。
【００６２】
図２４に示すように、装置本体１の横置き状態での底部（底板の裏側、底面、裏面、背面）に設けられた収納部１ｃに収納されて組み込まれているスタンドは、第１回動部材としてのスタンドＬ３１，第２回動部材としてのスタンドＭ３２，第３回動部材としてのスタンドＳ３３の３部品から構成されている。そして、これら３部品は互いに回動可能に直列状に設けられ、折り畳まれて収納部１ｃに収納されている。なお、横置き状態で使用する（画像読取が行われる）場合には、スタンドは装置本体１に収納状態にある。
【００６３】
図３０はスタンドＬ３１を説明するための図、図３１はスタンドＭ３２を説明するための図、図３２はスタンドＳ３３を説明するための図である。ここで、図２４において示す矢印（Ｆ，Ｒ）は、図９に示した矢印同様、装置本体１の前後方向を示しており、図３０〜図３２において示す矢印（Ｆ，Ｒ）は、それぞれのスタンドが装置本体１に収納された状態（図２４参照）における装置本体１の前後方向を示している。
【００６４】
そして、図３０に示すスタンドＬ３１の一方の端部（装置本体１に収納された状態で後端側）に配された凸部３１ａが装置本体１の凹部３０ａと回動可能に軸支されている。また、他方の端部（装置本体１に収納された状態で前端側）に配された凹部３１ｂが図３１に示すスタンドＭ３２の一方の端部（装置本体１に収納された状態で前端側）に配された凸部３２ａと回動可能に軸支されている。
【００６５】
さらに、前記スタンドＭ３２の他方の端部（装置本体１に収納された状態で後端側）に配された凹部３２ｂは図３２に示すスタンドＳ３３の端部（装置本体１に収納された状態で後端側）に配された凸部３３ａとこれも回動可能に軸支されている。
【００６６】
前記スタンドＬ３１、スタンドＭ３２、スタンドＳ３３はそれぞれ凸部（軸）と凹部（穴）とに規制部として設けられた角度規制用の突起と溝との関係により回動角度が規制されており、スタンドＬ３１は受け部３４が装置本体１の受け部３５に当接することで回動可能角度は略１４０°に、スタンドＭ３２は突起３６がスタンドＬ３１の受け部３７に当接することで回動可能角度は略８０°に、またスタンドＳ３３は突起３８がスタンドＭ３２の受け部３９に当接することで回転可能角度は略７０°に、それぞれ設定されている。
【００６７】
また、スタンドＭ３２には図３１に示す弾性部材４０が図のＷ方向に動作するように取り外し可能に組み込まれており、図２４に示す収納状態では、この弾性部材４０の突出部４１が図２５に示す装置本体１に配された凹部４２に落ち込み係合することにより、その位置を保持する。強制的に前記弾性部材４０を装置本体１の凹部４２から脱離させない限り、スタンドＬ３１、スタンドＭ３２、スタンドＳ３３は、弾性部材４０と装置本体１の凹部４２との係合によって、図２４に示す収納状態を維持する。
【００６８】
次に、図２４〜２８を参照して、スタンドを用いて画像読取装置を縦置き状態に設置する方法について説明する。
【００６９】
図２４に示す収納状態から図２８に示す縦置き状態にするために、まず、操作者は、装置本体１の凹部５０に指を入れ、スタンドＳ３３のつまみ部５１を持ち上げる。この動作により、上記で説明したスタンドＭ３２に組み込まれた弾性部材４０は装置本体１に配された凹部４２から解除される（図２５参照）。
【００７０】
スタンドＬ３１、スタンドＭ３２、スタンドＳ３３は上述した３カ所の回動軸を中心として回転可能角度範囲を回動して回り込み、それぞれが略最大回動角度回動すると、装置本体１に取り付けられた３つのスタンドのうち最も端部に位置するスタンドＳ３３がヒンジ７を乗り越える位置まで達する（スタンドＭ３２が装置本体１の裏面（背面、底）側か
ら表面側（原稿カバー６側、ヒンジ７側）に向かって回り込むような状態となり、スタンドＳ３３が装置本体１の表面側に略位置する）ことになる。
【００７１】
この位置で装置本体１の突起部５２をスタンドＭの凹部５３に落とし込む（係合させる、嵌合させる）と、図２６〜２８に示すように装置本体１にスタンドを組み立てることができ、この状態でスタンドＭ３２の外側の面を机などの略水平な設置面に置く（スタンドＭ３２が設置面に対向する）ことによって、画像読取装置を図２８に示すような縦置き状態に設置することが出来る。すなわち、装置本体１はスタンドＬ３１，スタンドＭ３２を介して設置面上に置かれることになる。ここで、スタンドＬ３１やスタンドＭ３２は、装置本体１を支持する支持部として機能し、装置本体１の突起部５２及びスタンドＭの凹部５３は、装置本体１を縦置き状態に保持する保持部として機能している。
【００７２】
また、スタンドが縦置き状態として設置される場合、スタンドは、規制部としてスタンドＳ３３の受け部５５（５５ａ）がヒンジ７の表面（横置き状態での上面）を押さえた位置で係止されることとなり、また、突起部５２と凹部５３との係合により、スタンドと装置本体１とが位置決めされるため、ヒンジ７は装置本体１に密着した状態で固定されることとなる。ここで、スタンドＳ３３やスタンドＭ３２は、保持部として機能している。なお、本実施の形態では、スタンドＳ３３を保持部として機能させるものであるが、スタンドＳ３３が設けられていない場合であっても、上述した装置本体１の突起部５２及びスタンドＭの凹部５３を保持部として機能させることができる。
【００７３】
一方、原稿カバー６は軸支部６ａ，７ｂを支点としてヒンジ７に対して回動可能に構成されている。ここで、前記軸支部６ａ，７ｂを支点として原稿カバー６が回動した場合、前述の通り原稿カバー６はヒンジ７に対して略４０°開いたところでヒンジ７に規制されることとなるが、本実施の形態では、図２９に示すように、原稿カバー６がヒンジ７に対して略４０°開いた位置で原稿カバー６を受ける（支える）受け部５５（５５ｂ）がスタンドＳ３３に設けられている。
【００７４】
これにより、縦置き状態での原稿カバー６の開き角度を決定することができ、原稿カバー６の自重によって軸支部６ａ，７ｂに応力が集中することを防止することができる。
【００７５】
なお、軸支部６ａ，７ｂに応力が集中するおそれがない（応力が集中することが問題とならない）ような場合には、スタンドＳ３３に原稿カバー６を受ける受け部５５（５５ｂ）が設けられず、原稿カバー６とヒンジ７との間の規制部により縦置き状態での原稿カバー６の開き角度が決定されるものであってもよい。
【００７６】
また、前記スタンドＳ３３のうち、少なくともヒンジ７や原稿カバー６に接触する部分（接触する可能性がある部分であってもよい）には、図３２に示すように、高摩擦弾性部材５６が設けられている。
【００７７】
この高摩擦弾性部材５６は、図３２，３３に示すように縦置き状態でのスタンドＳ３３のヒンジ７，原稿カバー６側にスタンドＳ３３本体（の受け部５５）よりも若干高く設けられているため、スタンドＳ３３がヒンジ７や原稿カバー６に直接接触するようなことはない。
【００７８】
したがって、外観部品であるヒンジ７や原稿カバー６に傷や汚れがつくことを防止することができる。また、原稿カバー６を開いた際に、原稿カバー６とスタンドＳ３３とが衝突して発生する音を防止することができる。
【００７９】
ここで、高摩擦弾性部材５６の材料としては、ウレタン、ＥＰＤＭ（エチレンプロピレ
ンゴム）、シリコンなどが望ましく、硬度はＨｓ（ショア硬さ）＝３０〜７０度が望ましい。
【００８０】
一方、図２４に示すスタンド収納状態、つまり通常の横置き状態でのスキャン時（画像読取時）では前記高摩擦弾性部材５６の少なくとも一部は装置本体１の底面（裏面、背面）に位置することになる。この状態で、前記高摩擦弾性部材５６は装置本体１の最下面に位置するようにも構成されており、上述した機能（傷・汚れの防止、異音の防止）に加えて、さらに、横置きの際の画像読取装置全体の滑り防止部材としても機能している。
【００８１】
なお、スタンドは装置本体１に一体となって設けられていることが好ましいが、これに限らず、スタンドは装置本体１に対して着脱可能に設けられるものであってもよい。
【００８２】
次に、原稿カバー６に備えられ、原稿台ガラス２上にセットされた原稿を押さえる圧着シート８について説明する。本実施の形態の圧着シート８は、図２９に示すような画像読取装置の縦置き状態において、原稿を原稿台ガラス２上の所定の位置に誘導するように構成されている。
【００８３】
図３３に示すように、画像読取装置の縦置き状態において原稿カバー６が開けられた場合、原稿カバー６は、ヒンジ７前端の凹部７ｂと原稿カバー６後端部の凸部６ａとの嵌合部を支点として回動し、原稿カバー６の突起部１８，ヒンジ７の突起部２０及びスタンドＳ３３の受け部５５（高摩擦弾性部材５６）によってその回動角度が規制され、ヒンジ７に対して略４０°開いた位置でその姿勢が維持される。
【００８４】
この時、画像読取装置の縦置き状態において圧着シート８の最下部となる端部５７（圧着シート８のうちヒンジ７側の端部）は、段差５８ａ（図１０参照）近傍に位置するように設けられている。ここで、段差５８ａは、装置本体１と原稿台ガラス２との間に設けられた段差５８（５８ａ，５８ｂ，５８ｃ，５８ｄ）のうち、前後方向（短手方向）の後端側（ヒンジ７側）に設けられた段差である。段差５８ａは、原稿が原稿台ガラス２上に載置される場合に、原稿が突き当てられて、原稿台ガラス２上における原稿の位置決め部（突き当て部）として機能するものである。
【００８５】
図３３はこの段差５８ａ近傍を詳細に表した概略断面図である。図３６は図３３に示す画像読取装置の要部の拡大図である。
【００８６】
図３３に示すように、画像読取装置の縦置き状態において原稿カバー６が開けられた場合（原稿カバー６がヒンジ７に対して略４０°開いた状態）、装置本体１の原稿台ガラス２と圧着シート８（シート部材８ａ）最下部の端部５７との距離ｃが、段差５８ａの段差（原稿台ガラス２からの高さ（距離））ｄよりも狭く（小さく、ｃ＜ｄ）なるように構成されている。
【００８７】
上記構成により、画像読取装置の縦置き状態において、上方から原稿をセットする場合、原稿のエッジ（先端）は圧着シート８か原稿台ガラス２に沿って（誘導されて）段差５８ａに必ず到達するようになる。
【００８８】
すなわち、ある程度の高さから原稿を自由落下させても、原稿のエッジは圧着シート８か原稿台ガラス２に誘導されて段差５８ａに到達することとなり、操作者は原稿セット時に原稿のエッジが装置本体１の段差５８ａに当接するまで原稿を保持する必要がなくなる。したがって、簡単かつ確実に原稿セットを行うことができる。
【００８９】
さらに、どんなに強く屈曲した原稿であっても、圧着シート８か原稿台ガラス２に誘導
されて段差５８ａまで到達するので、より確実に段差５８ａに突き当てることができ、より確実な原稿セットが可能になり操作性を飛躍的に向上させることができる。
【００９０】
（原稿台の原稿突き当て部の構成）
原稿台ガラス２と、原稿台ガラス２が組み込まれる装置本体１の開口部との間（該開口部のヘリ（縁））には、上述したように、段差５８（５８ａ，５８ｂ，５８ｃ，５８ｄ）が設けられている（図１０，図１６参照）。ここで、原稿台ガラス２が組み込まれる開口部は、原稿に合わせて略矩形状（略長方形）に設けられており、段差５８ａ，５８ｂ，５８ｃ，５８ｄが長方形の四辺を構成している。
【００９１】
前記段差５８のうち略直交する二つの段差５８ａ，５８ｂは、原稿を原稿台ガラス２に設置する際に、主走査方向及び副走査方向の原稿読み取り開始位置を決定するための原稿突き当て基準（位置決め基準）となっている。
【００９２】
前記原稿突き当て基準となるヒンジ７近傍に設けられた段差５８ａは、上述したスタンド縦置き状態にした場合に最下部に位置するため、重力によって落下する原稿を受け止めるために十分な高さを有するのが望ましい。そのため、本実施の形態では、段差５８ａは原稿台ガラス２のガラス面から略３ｍｍの高さに設定されている。
【００９３】
一方、地図等の大きい原稿を読みとる際には、段差による原稿の浮きは極力少ない方が望ましく、すなわち、段差５８は極力小さい方が望ましい。そのため、本実施の形態では、ヒンジ７近傍の原稿突き当て基準となる段差５８ａに対向する位置にある段差５８ｃは、原稿台ガラス２から略０．５ｍｍの高さに設定されている。
【００９４】
そして、前記二つの段差５８ａ，５８ｃにそれぞれ直交する二つの段差５８ｂ，５８ｄは、図１０に示すように開口部のヘリに段差ができないように略３ｍｍの高さから略０．５ｍｍの高さに徐変で（徐々に）高さが変わるように構成されている。
【００９５】
これにより、読み取り画像に悪影響を与えたり原稿を傷めたりする要因になる可能性がある不必要な段差を極力無くすことができる。
【００９６】
このような段差構成にすることにより、画像読取装置の縦置き状態時にセットされる原稿を確実に受け止めることができ、かつ地図等の大きい原稿の読み取り性も向上させることができる。
【００９７】
（圧着シート構成）
図３４は、ヒンジのみ６０度開きにした場合の圧着シートとヒンジの関係を説明するための図であり、図３５は、本発明の実施の形態においてヒンジのみ６０度開きにした場合の圧着シートとヒンジの関係を説明するための図である。
【００９８】
原稿カバー６に組み込まれている圧着シート８は、主に薄手の原稿を上面から押圧し原稿にシワやカールがあった場合にこれを矯正し、原稿を原稿台ガラス２に密着させ、かつ原稿に読み取り装置の照射光ではない余分な外光が入り込まないようにするのが望ましい。
【００９９】
そのため、圧着シート８は、原稿をできるだけ大きい範囲で覆い隠せるように構成されるべきである。一般的な圧着シートは、上述したような、原稿台ガラス２が組み込まれた開口部のヘリ（段差５８ａ，５８ｂ，５８ｃ，５８ｄ）ぎりぎりの位置、つまり開口部よりも少しだけ小さな大きさで原稿カバーに組み込まれている。このような構成にすることで、上述したような縦置き状態での原稿設置時に、
（装置本体１の原稿台ガラス２と圧着シート８最下部の端部５７との距離ｃ）＜（段差５８ａの段差（原稿台ガラス２からの高さ）ｄ）
という関係を実現しやすい構成になっている。
【０１００】
一方、上述したような原稿カバー６，ヒンジ７の構成にあっては本などの厚手原稿Ｄを原稿台ガラス２に置き、原稿カバー６を閉じると図１２，図１３に示すように原稿カバー６はヒンジ７との間の軸支部６ａ，７ｂを中心として自重で下方に折れ曲がり、圧着シート８が厚手原稿Ｄを押さえ付ける姿勢となる。この姿勢では原稿カバー６の装置本体１に対する開放角度は略０°のところで姿勢が維持される。
【０１０１】
このような場合においては、シート部材８ａと、スポンジ等の弾性部材８ｂとから構成された圧着シート８は、図３４に示すように、装置本体１の後端部に設けられた凹部１ａとヒンジ後端の凸部７ａとの嵌合部を回動中心としてヒンジ７が回動可能角度範囲内で、ある角度以上回動したときに弾性部材８ｂがヒンジ７にぶつかってしまう（斜線部５９）ことが懸念される。
【０１０２】
これは、上述したように圧着シート８が開口部のヘリ（段差５８ａ）ぎりぎりに位置しているため、さらに、弾性部材８ｂのヒンジ７近傍の端部６０が、シート部材８ａのヒンジ７近傍の端部５７と略同じ位置（シート部材８ａ（原稿を押圧する面）において、軸支部６ａ，７ｂにより構成される回動軸に対して略直交する方向に座標を仮想した場合の位置が略同じ）に設けられているためと考えられる。
【０１０３】
これを回避させるために、軸支部６ａ，７ｂの位置は変えずに、装置本体１の後端部に設けられた凹部１ａとヒンジ後端の凸部７ａとの嵌合部（回動中心）を装置後方にずらしてヒンジ７の回動角度を小さくして干渉を避けるか、シート部材８ａの端部５７を原稿突き当て部となる段差５８ａから離間させることが考えられる。しかし、このような方法では、装置の大型化（前者の場合）、読み取り画像への悪影響や縦置き時の原稿載置性の悪化（後者の場合）といった弊害が生じてしまう。
【０１０４】
そこで、本実施の形態においては、図３５に示すように弾性部材８ｂをシート部材８ａよりも短くしている（軸支部６ａ，７ｂにより構成される回動軸に対して略直交する方向において、弾性部材８ｂの端部の方が、シート部材８ａの端部よりも軸支部６ａ，７ｂから離れた位置に設けられている）。
【０１０５】
このように構成することにより、装置を大型化させることなく、かつ原稿Ｄを原稿台ガラス２に確実に密着させて読み取り画像へ悪影響を及ぼすことなく、弾性部材８ｂがヒンジ７に接触してしまうことを防止することができる。また、縦置き状態での原稿設置も確実に行うことができるようになる。
【０１０６】
以上説明したように、本実施の形態では、画像読取装置に２つの回動中心（回動部Ａ１，Ａ２）を設けたことにより、原稿台ガラス２に対して原稿カバー６を２つの開放位置に位置させることが可能となる。すなわち、原稿台ガラス２内に納まるサイズの原稿を原稿台ガラス２にセットする場合には、第１の開放位置（原稿セットの操作性が良好となる位置、略９０度〜１２０度が好ましく本実施の形態では略１００°としている）に原稿カバー６を位置させ、原稿台ガラス２より大きいサイズの原稿をセットする場合には、回動部を切り替えることにより、第２の開放位置（大きいサイズの原稿セットの操作性が良好となる位置、本実施の形態では略１８０°としている）に原稿カバー６を位置させることができるので、原稿台ガラス２にセットする原稿サイズに応じて原稿カバー６の開放位置を切り替えることができる。
【０１０７】
したがって、原稿台ガラス２のサイズよりも大きなサイズの原稿を原稿台上に載置する操作を容易とし、すなわち、操作性を向上させることができる。
【０１０８】
また、本実施の形態においては、開放位置調整機構として、ひょうたん型の回動部（回動部Ａ１，Ａ２、くびれ部１ｂ）を設けることにより、開放位置の調整を可能としている。したがって、画像読取装置の構成を複雑化することなく、簡単な機構で原稿カバー６の開放位置を切り替えることができる。
【０１０９】
なお、本実施の形態では、画像読取装置に２つの回動部Ａ１，Ａ２を設けた場合について説明したが、これに限らず、回動部は複数設けられるものであってもよく、これにより、原稿カバー６を複数の開放位置に位置させることもできる。
【０１１０】
また、本実施の形態では、装置本体１側に軸受け部として機能する２つの回動部Ａ１，Ａ２を設け、ヒンジ７側に回動軸として機能する凸部７ａを設けた場合について説明したが、装置本体側に回動軸を設け、ヒンジ側に複数の軸受け部を設けたものであってもよい。
【図面の簡単な説明】
【０１１１】
【図１】本発明の実施の形態に係る画像読取装置の構成を説明するための模式図である。
【図２】本発明の実施の形態のコンタクトイメージセンサの概略断面図である。
【図３】図１のＡ−Ａ断面を示す図である。
【図４】本発明の実施の形態のキャリッジユニットの概略斜視図である。
【図５】本発明の実施の形態に係る画像読取装置による読取画像データ処理ブロック図である。
【図６】本発明の実施の形態に係る画像読取装置において原稿カバーを開閉可能に連結するヒンジ構成を説明するための図である。
【図７】本発明の実施の形態に係る画像読取装置において原稿カバーを開閉可能に連結するヒンジ構成を説明するための図である。
【図８】本発明の実施の形態に係る画像読取装置において原稿カバーを開閉可能に連結するヒンジ構成を説明するための図である。
【図９】本発明の実施の形態に係る画像読取装置において原稿カバーを閉じた状態を説明するための図である。
【図１０】本発明の実施の形態に係る画像読取装置において原稿カバーを１００度開いた状態を説明するための図である。
【図１１】本発明の実施の形態に係る画像読取装置において原稿カバーを略１８０度開いた状態を説明するための図である。
【図１２】本発明の実施の形態に係る画像読取装置においてヒンジだけを６０度開いた状態を説明するための図である。
【図１３】本発明の実施の形態に係る画像読取装置においてヒンジだけを６０度開いた状態を説明するための図である。
【図１４】本発明の実施の形態に係る画像読取装置の装置本体においてヒンジとの嵌合部を示す図である。
【図１５】本発明の実施の形態に係る画像読取装置において原稿カバーを開いた状態を説明するための図である。
【図１６】本発明の実施の形態に係る画像読取装置において原稿カバーを開いた状態を説明するための図である。
【図１７】本発明の実施の形態に係る画像読取装置において原稿カバーを開いた状態を説明するための図である。
【図１８】本発明の実施の形態に係る画像読取装置において原稿カバーを開いた状態を説明するための図である。
【図１９】本発明の実施の形態に係る画像読取装置において原稿カバーを開いた状態を説明するための図である。
【図２０】本発明の実施の形態に係る画像読取装置において原稿カバーを開いた状態を説明するための図である。
【図２１】本発明の実施の形態に係る画像読取装置において原稿カバーを開いた状態を説明するための図である。
【図２２】本発明の実施の形態に係る画像読取装置において原稿カバーを開いた状態を説明するための図である。
【図２３】本発明の実施の形態に係る画像読取装置において原稿カバーを開いた状態を説明するための図である。
【図２４】本発明の実施の形態に係るスタンドが装置本体裏面に収納された状態を説明するための図である。
【図２５】本発明の実施の形態に係るスタンドを縦置き状態に設置する方法を説明するための図である。
【図２６】本発明の実施の形態に係るスタンドを縦置き状態に設置する方法を説明するための図である。
【図２７】本発明の実施の形態に係るスタンドを縦置き状態に設置する方法を説明するための図である。
【図２８】本発明の実施の形態に係るスタンドを縦置き状態に設置する方法を説明するための図である。
【図２９】本発明の実施の形態に係るスタンドを縦置き状態に設置後、原稿カバーを開いた状態を説明するための図である。
【図３０】本発明の実施の形態に係るスタンドの構成部材を示す図である。
【図３１】本発明の実施の形態に係るスタンドの構成部材を示す図である。
【図３２】本発明の実施の形態に係るスタンドの構成部材を示す図である。
【図３３】本発明の実施の形態に係る画像読取装置の装置本体に設けられた突き当て部について説明するための図である。
【図３４】ヒンジのみ６０度開きにした場合の圧着シートとヒンジの関係を説明するための図である。
【図３５】本発明の実施の形態においてヒンジのみ６０度開きにした場合の圧着シートとヒンジの関係を説明するための図である。
【図３６】図３３に示す画像読取装置の要部の拡大図である。
【符号の説明】
【０１１２】
１  装置本体
１ａ  凹部
１ｂ  くびれ部
２  原稿台ガラス
３  コンタクトイメージセンサ
４  ガイドシャフト
６  原稿カバー
７  ヒンジ
７ａ  凸部
３１，３２，３３  スタンド
Ａ１，Ａ２  回動部
【図１】
2006184691.tif 000003
【図２】
2006184691.tif 000004
【図３】
2006184691.tif 000005
【図４】
2006184691.tif 000006
【図５】
2006184691.tif 000007
【図６】
2006184691.tif 000008
【図７】
2006184691.tif 000009
【図８】
2006184691.tif 000010
【図９】
2006184691.tif 000011
【図１０】
2006184691.tif 000012
【図１１】
2006184691.tif 000013
【図１２】
2006184691.tif 000014
【図１３】
2006184691.tif 000015
【図１４】
2006184691.tif 000016
【図１５】
2006184691.tif 000017
【図１６】
2006184691.tif 000018
【図１７】
2006184691.tif 000019
【図１８】
2006184691.tif 000020
【図１９】
2006184691.tif 000021
【図２０】
2006184691.tif 000022
【図２１】
2006184691.tif 000023
【図２２】
2006184691.tif 000024
【図２３】
2006184691.tif 000025
【図２４】
2006184691.tif 000026
【図２５】
2006184691.tif 000027
【図２６】
2006184691.tif 000028
【図２７】
2006184691.tif 000029
【図２８】
2006184691.tif 000030
【図２９】
2006184691.tif 000031
【図３０】
2006184691.tif 000032
【図３１】
2006184691.tif 000033
【図３２】
2006184691.tif 000034
【図３３】
2006184691.tif 000035
【図３４】
2006184691.tif 000036
【図３５】
2006184691.tif 000037
【図３６】
2006184691.tif 000038